(57)【要約】      （修正有）【課題】鞄やズボンを装飾可能なペットボトルホルダーを提供する。【解決手段】ペットボトルホルダー１は、ペットボトルの首部を脱着可能に保持する取付具２と、鞄やズボンのベルトループに引っ掛け自在な掛止具３と、一端が取付具２に接続され、他端が掛止具３に接続された連結具４と、連結具４に取り付けられたアクセサリ５と、を備える。【選択図】図１
0003228831.tif 000002
【実用新案登録請求の範囲】
【請求項１】
ペットボトルの首部を脱着可能に保持する取付具と、
鞄やズボンのベルトループに引っ掛け自在な掛止具と、
一端が前記取付具に接続され、他端が前記掛止具に接続された連結具と、
前記連結具に取り付けられたアクセサリと、
を備えるペットボトルホルダー。
【請求項２】
前記アクセサリは、ぬいぐるみであることを特徴とする請求項１に記載のペットボトルホルダー。
【請求項３】
前記連結具は、サイドリリースバックルと、前記サイドリリースバックルの一端と前記取付具を接続する第１ベルトと、前記サイドリリースバックルの他端と前記掛止具を接続する第２ベルトと、で構成され、前記アクセサリは、第２ベルトに取り付けられていることを特徴とする請求項１又は２に記載のペットボトルホルダー。
【考案の詳細な説明】
【技術分野】
【０００１】
本考案は、ペットボトルを鞄やズボンのベルトループに引っ掛けて携帯するためのペットボトルホルダーに関する。
【背景技術】
【０００２】
従来より、ペットボトルを水筒代わりに携帯するため、ペットボトルを鞄に取り付けるペットボトルホルダーが用いられてきた。このペットボトルホルダーは、ペットボトルの首部を脱着可能に保持する取付具と、鞄やズボンのベルトループに引っ掛け自在な掛止具と、取付具と掛止具を連結する連結具と、で構成されている（特許文献１，２参照）。
【先行技術文献】
【特許文献】
【０００３】
【特許文献１】意匠登録第１２６２９７７号公報
【特許文献２】実用新案登録第３０６６９４８号公報
【考案の概要】
【考案が解決しようとする課題】
【０００４】
しかしながら、従来のペットボトルホルダーは、上記特許文献１，２のように、ペットボトルの携帯し易いよう金具の構造を改良したものであり、主として機能的な面が重視されていた。そして、鞄やベルトループに装着したとき、ペットボトルホルダーは外から見えるものであるのに、デザイン性に乏しいものであった。
【０００５】
そこで、本考案は、鞄やベルト等に装着されたとき、それらを装飾することが可能なペットボトルホルダーを提供することを目的とする。
【課題を解決するための手段】
【０００６】
上記課題を解決するため、本考案のペットボトルホルダーは、ペットボトルの首部を脱着可能に保持する取付具と、鞄やズボンのベルトループに引っ掛け自在な掛止具と、一端が前記取付具に接続され、他端が前記掛止具に接続された連結具と、前記連結具に取り付けられたアクセサリと、を備えることを特徴とする。
【考案の効果】
【０００７】
本考案のペットボトルホルダーによれば、アクセサリが連結具に取り付けられているので、ペットボトルを携帯するとき、そのアクセサリが鞄やズボンの装飾となる。
【図面の簡単な説明】
【０００８】
【図１】本考案の実施形態に係るペットボトルホルダーを示す図であり、（ａ）は斜視図、（ｂ）は背面図である。
【図２】様々なアクセサリを付けた同ペットボトルホルダーを示す図である。
【図３】同ペットボトルホルダーを鞄に取り付けた状態を示す斜視図である。
【図４】同ペットボトルホルダーを分離してドリンクを飲む状態を示す図である。
【考案を実施するための形態】
【０００９】
図１は、本実施形態のペットボトルホルダー１を示す。このペットボトルホルダー１は、ペットボトルの首部（不図示）を脱着可能に保持する取付具２と、鞄やズボンのベルトループ（不図示）に引っ掛け自在な掛止具３と、一端が取付具２に接続され、他端が掛止
具３に接続された連結具４と、連結具４に取り付けられたアクセサリ５と、を備えている。
【００１０】
取付具２は、略Ｃ字状の金属製リングで構成されており、ペットボトルの首部の幅に応して先端側の二股部２１は屈曲自在となっている。取付具２の基端には、連結具４が挿通可能な孔２２が形成されている。掛止具３は、カラビナ、ナスカン等のワンタッチで他の部材に取り付け可能なもので構成されている。
【００１１】
連結具４は、ソケット４２とソケット４２に挿入されるプラグ４３とで構成されたサイドリリースバックル４１と、ソケット４２に巻着される第１ベルト４４と、プラグ４３に巻着される第２ベルト４５と、で構成されている。第１ベルト４４の他端は、取付具２の基端の孔２２に巻着されている。第２ベルト４５の他端は、掛止具３に巻着されている。
【００１２】
アクセサリ５は、布製のぬいぐるみで構成され、第２ベルト４５の中央に縫い付けられている。このアクセサリ５は、富士山のぬいぐるみ以外にも、図２に示すように、可愛らしい外観を有する様々な形をしたぬいぐるみであってもよい。また、アニメや漫画のキャラクターのぬいぐるみや、ゆるキャラ等地域や施設のキャラクターのぬいぐるみであってもよい。ぬいぐるみ以外の金属製・プラスチック製アクセサリでも良く、この場合は、第２ベルト４５と金具（不図示）で連結すればよい。
【００１３】
本実施形態のペットボトルホルダー１は、例えば図３に示すように、取付具２をペットボトル６の首部６１に挟み込み、鞄７の金具７１に掛止具３を引っ掛けることにより、鞄７にペットボトル６を吊り下げることができる。このとき、アクセサリ５は、第２ベルト４５の中央に縫い付けられているので、ペットボトル６とぶつかって歪められることなく、可愛い形状を維持し、鞄７を装飾し続けることができる。なお、例えば、アクセサリ５が水平方向に横長で第１ベルト４４に取り付けてもペットボトル６にぶつからない場合は、第１ベルト４４にアクセサリ５を取り付けてもよい。
【００１４】
ユーザーがペットボトル６の飲料水を飲むときは、連結具４のサイドリリースバックル４１のソケット４２とプラグ４３を分離する。そうすると、図４に示すように、取付具２からペットボトル６を取り外すことなく、ペットボトル６をアクセサリ５の付いた第２ベルト４５、プラグ４３側から取り外すことができ、手軽に飲料水を飲むことができる。
【００１５】
このとき、アクセサリ５は、第２ベルト４５に巻着されていることにより、鞄７に取り付けられた状態のままとなり、鞄７を可愛らしく飾ったままとなる。したがって、ペットボトル６を鞄７に取り付けた状態でも、ペットボトル６を鞄７から取り外して飲料水を飲む状態でも、アクセサリ５は、鞄７を装飾した状態を維持することとなる。
【００１６】
また、本実施形態のペットボトルホルダー１によれば、連結具４にサイドリリースバックル４１を備えているので、プラグ４３の爪を押すだけで、手軽に連結具４を分断して、ペットボトル６を鞄７から分離することができる。さらに、分離したペットボトルホルダー１は、ペットボトル６の上部に位置するので、ペットボトル６を持った手にぶつかることがなく、容易に飲料水を飲むことができる。
【００１７】
このように、本実施形態のペットボトルホルダー１によれば、アクセサリ５が連結具４に取り付けられているので、ペットボトル６を携帯するとき、アクセサリ５が鞄やズボンのアクセントとなって可愛らしいく鞄やズボンを装飾する。
【００１８】
なお、取付具２、掛止具３は、上記実施形態の構成に限られることなく、任意の構成を採用することができる。また、アクセサリ５は、第２ベルト４５に縫い付けられた形態を
示したが、それに限られず、ワンタッチで着脱可能なボタンファスナーなどを用いてもよい。
【符号の説明】
【００１９】
１    ペットボトルホルダー
２    取付具
２１  二股部
２２  孔
３    掛止具
４    連結具
４１  サイドリリースバックル
４２  ソケット
４３  プラグ
４４  第１ベルト
４５  第２ベルト
５    アクセサリ
６    ペットボトル
６１  首部
７    鞄
７１  金具
【図１】
0003228831.tif 000003
【図２】
0003228831.tif 000004
【図３】
0003228831.tif 000005
【図４】
0003228831.tif 000006